(57)【要約】【課題】本発明は、メンテナンス等における吐水口の着脱は容易で、且つ散水板の外観を損なうことなくスパウトに設置可能な構成を有する水栓装置を提供することを目的とする。【解決手段】  本発明の水栓装置は、スパウト１と、吐水口２と、を備えた水栓装置であって、前記吐水口２は、吐水形態が一本の整流吐水である整流吐水部３と、吐水形態がシャワー流吐水であるシャワー吐水部４とを有し、前記整流吐水部３と前記シャワー吐水部４を前記スパウト１とに固定するための前記スパウト１と勘合する勘合部５と、前記スパウト１と前記勘合部５とを勘合後、固定治具６を介してスパウト１に結合可能な結合部７と、を有する吐水口取り付け部９を備えた構成 【選択図】    図１
2009263953.tif 000002
【特許請求の範囲】
【請求項１】
スパウトと、
吐水口と、
を備えた水栓装置であって、
前記吐水口は、吐水形態が一本の整流吐水である整流吐水部と、
吐水形態がシャワー流吐水であるシャワー吐水部とを有し、
前記整流吐水部と前記シャワー吐水部を前記スパウトとに固定するための
前記スパウトと勘合する勘合部と、
前記スパウトと前記勘合部とを勘合後、固定治具を介してスパウトに結合可能な結合部と、
を有する吐水口取り付け部
を備えたことを特徴とする水栓装置。
【請求項２】
前記整流吐水部を固定治具として前記スパウトと前記吐水部を固定することを特徴とする請求項１記載の水栓装置。
【請求項３】
前記吐水口取り付け部は
前記シャワー吐水部の周縁を押圧し、前記シャワー吐水口をスパウトに固定することを特徴とする請求項１または２記載のシャワー装置。
【発明の詳細な説明】
【技術分野】
【０００１】
本発明は、吐水口を備えた水栓装置において、スパウトに対して吐水口の外観を損なうことなく容易に設置することが可能な水栓装置に関する。
【背景技術】
【０００２】
従来、吐水口を有する水栓装置において、メンテナンスが容易に行うことが可能なように吐水口の着脱が簡易な構成とする水栓装置があった。
【０００３】
また、散水板を水栓本体と接続し、且つ容易に散水板に対してメンテナンス等を実施可能なように、吐水口が有する面に対してネジを挿入し、散水板を固定する構成の水栓装置があった。
【特許文献１】特開２０００−３００４５８
【発明の開示】
【発明が解決しようとする課題】
【０００４】
しかしながら、特許文献１のように、散水板からネジを挿入して水栓装置本体と散水板とを固定すると、確かに容易に散水板の着脱は可能であるが、散水板のネジ近傍に汚れが付着することによる清掃性の低下や、散水板の一部に穴を穿つために、吐水口である散水板の外観を損なう恐れがあった。
【０００５】
そこで、本発明においては、メンテナンス等における吐水口の着脱は容易で、且つ散水板の外観を損なうことなくスパウトに設置可能な構成を有する水栓装置を提供することを目的とする。
【課題を解決するための手段】
【０００６】
前記目的達成のために、スパウトと、吐水口と、を備えた水栓装置であって、前記吐水口は、吐水形態が一本の整流吐水である整流吐水部と、吐水形態がシャワー流吐水であるシャワー吐水部とを有し、前記整流吐水部と前記シャワー吐水部を前記スパウトとに固定するための前記スパウトと勘合する勘合部と、前記スパウトと前記勘合部とを勘合後、固定治具を介してスパウトに結合可能な結合部と、を有する吐水口取り付け部を備えたことを特徴とする水栓装置を提供出来る。
【０００７】
また、本発明の一態様によれば、前記整流吐水部を固定治具として前記スパウトと前記吐水部を固定することを特徴とする水栓装置を提供することが出来る。
【０００８】
また、本発明の一態様によれば、前記吐水口取り付け部は、記シャワー吐水部の周縁を押圧し、前記シャワー吐水口をスパウトに固定することを特徴とする水栓装置を提供することが出来る。
【発明の効果】
【０００９】
本発明によれば、スパウトと吐水口を結合させる際に、吐水口の一辺を勘合させ、他辺を固定治具で固定することにより、固定するためのネジ等の部材を低減させることが可能となるため、使用者が簡単に着脱可能となり、且つスパウトの表面に露出するネジ等の部材が少なくなるため、外観を損なうことなく水栓装置を構成することが可能となる。
【発明を実施するための最良の形態】
【００１０】
以下、発明の実施の形態を、図面を参照して説明する。
図１に、本発明の水栓装置の概略構成図、図２に、吐水口２近傍の概略構成図を示す。本発明の水栓装置は、スパウト１と、吐水口２と、を備えた水栓装置であって、前記吐水口２は、吐水形態が一本の整流吐水である整流吐水部３と、吐水形態がシャワー流吐水であるシャワー吐水部４とを有し、前記整流吐水部３と前記シャワー吐水部４を前記スパウト１とに固定するための前記スパウト１と勘合する勘合部５と、前記スパウト１と前記勘合部５とを勘合後、固定治具６を介してスパウト１に結合可能な結合部７と、を有する吐水口取り付け部９を備えた構成となっている。ここで、シャワー吐水部４は、シャワー流吐水を行うため、複数の小孔を有する吐水口になることが一般的である。また、広範囲に吐水を行うために、シャワー吐水部４は、小孔を広範囲に配置することにより、広範囲に対して吐水を可能とすることが一般的である。このようなシャワー吐水部４の構成では、小孔で構成されているためシャワー吐水部４の開口面積は小さくなり、シャワー吐水部４への水圧が高く印加され、且つシャワー吐水部４が広面積であるため、スパウト１への設置の際には、ネジ等によりシャワー吐水部４の周囲を固定したり、シャワー吐水部４の中心を固定するような方法にて結合を行っていた。そのため、スパウト１表面には、シャワー吐水部４を固定するためのネジが露出して、外観を損なうことになったり、また固定するネジの周囲に汚れが付着することにより、シャワー吐水部４近傍に汚れが目立つことになってしまう。本発明においては、上記のような問題点を解決するために、シャワー吐水部４の一辺にスパウト１と勘合する勘合部５を設け、もう一辺に結合部７を設けることで、ネジ等の固定治具６を用いることなく、シャワー吐水部４をスパウト１に固定する構成となっている。
【００１１】
吐水口２について詳細を示す。図２に示すように、吐水口２は、整流吐水を行う整流吐水部３と、シャワー流吐水を行うシャワー吐水部４を有し、また、シャワー吐水部４は図３に示すように、シャワー流を吐水する散水板８と、前記散水板８の周縁を押圧し、前記散水板８を前記スパウト１に固定するための吐水口取り付け部９とによって構成されている。ここで、散水板８は前述したように非常に高い水圧が印加されるため、吐水の方向と略同一方向に移動する力が印加される。そのため、本発明においては、散水板８に対して印加される水圧に対して、スパウト１と散水板８とを結合させるために、散水板８の周縁を押圧する吐水口取り付け部９を有する構成とし、吐水口取り付け部９により散水板８の周囲を押圧するため、ネジのように部分的な結合では無く散水板８を面によって押圧可能なため、散水板８をより安定した状態でスパウト１に固定することが可能となる。また、散水板８の周囲を押圧するため、散水板８を均等な力で押すことになるため、水圧により散水板８がずれたり、散水板８のずれが発生することで吐水が曲がった方向に飛散する等の不具合を低減することが可能となる。
【００１２】
次に、吐水口取り付け部９とスパウト１との結合方法について記載する。吐水口取り付け部９の一辺には、スパウト１と勘合するための勘合部５を設けている。図４に吐水口取り付け部９の勘合部５、図５にスパウト１の勘合部５を示す。本実施例においては、吐水口取り付け部９に凹部を設け、その凹部に対してスパウト１の凸部を勘合させるようにして、スパウト１とシャワー吐水部４とを結合させる構成としている。このような結合方法を用いることで、スパウト１の外観上、シャワー吐水部４とスパウト１とを結合するための固定治具を目視不可能となるため、水栓装置の外観を損なうことなく、シャワー吐水部４をスパウト１に固定することが可能となる。更に凹凸を利用した勘合にしているため、容易に取り外しが可能であるので、メンテナンス時にシャワー吐水部４を着脱する際に容易に行うことが可能となる。また、本実施例においては、吐水口取り付け部９の勘合部５を凹形状とし、スパウト１の勘合部５を凸形状としたが、逆の場合においても同様の効果を有することは言うまでも無い。
【００１３】
次に吐水口取り付け部９の勘合部を設置した辺の他辺に設けた結合部７の詳細について示す。この構成より、勘合部５にてシャワー吐水部４の一辺をスパウト１と勘合させたので、シャワー吐水部４の他辺をスパウト１と結合させて、シャワー吐水部４とスパウト１とを完全に結合させるものとなる。図６に整流吐水部３を結合部７に結合させる固定治具６とした場合の構成図を示す。シャワー吐水部４の勘合部５を有する他辺近傍に、スパウト１とシャワー吐水部４を結合するための結合部７を設けている。図６においては、図中散水板８の上方に、孔を有する結合部７を設けている。この結合部７に固定治具を挿入してスパウト１と結合させることにより、スパウト１とシャワー吐水部４とを結合させることになる。本実施例においては、結合部７を孔で構成し、その孔に整流吐水部３を挿入し、且つシャワー吐水部４の一部である吐水口取り付け部９を共締めしてスパウト１に固定することで、吐水口取り付け部９にて周縁を押圧されている散水板８もスパウト１に固定されることになり、別途ネジ等を用いず、水栓装置の構成の一部である整流吐水部３で固定することになるため、水栓装置の外観を損なうことなく、シャワー吐水部４をスパウト１に設置することが可能となると共に、ネジ等の追加の部品を使うことなく固定が可能なため、簡易な構成にて設置することが可能となる。またネジ等を設置するために水栓装置に設けることが多い取付孔を設置することがなくなるので、取付孔やその近傍に蓄積しやすい汚れを付着させることなく、細かな凹凸を低減することが可能となるため、清掃性を向上させることも可能となる。
【００１４】
図６においては、シャワー吐水部４の一部である吐水口取り付け部９に孔部を設け、整流吐水部３の一部にネジ山を設け、整流吐水部３のネジ山と結合するようにスパウト１にもネジ山を設け、整流吐水部３とスパウト１を吐水口取り付け部９の孔部を介して共締めする形状にしている。この時、吐水口取り付け部９の孔部の外側直径（Ｒ２）が、整流吐水部３の外側直径（Ｒ１）と同じになるように設定することで、ネジ山を締めた後に吐水口取り付け部９と整流吐水部３の外側が同一平面上に形成されるため、吐水口取り付け部９と整流吐水部３が一体となるような形状になるので、水栓装置の外観を向上させるだけでなく、水栓装置表面の細かな凹凸を低減することが可能なため、スパウト１表面の汚れの付着を防止することが可能となり、水栓装置の清掃性を向上させることが可能となる。
【００１５】
ここで、本実施例のような構成の場合、一辺（勘合部５）を支持点として他辺（結合部７）にて固定をする方法であるため、シャワー吐水部４のように通水する場合においては、勘合部５や結合部７以外の辺は固定治具６にて結合されていないため、水圧による漏水や、吐水方向に対するずれ等が発生する可能性がある。そのために、シャワー吐水部４とスパウト１との間にシール部材を設ける必要がある。例えば、散水板と対峙するスパウト１内部の面とシャワー吐水部４の一部によってシール部材を挟み込んでシールを行う構造の場合には、散水板８に向かって吐水が行われるため、シール部材を挟み込む散水板８が散水板８と対峙するスパウト１内部の面から離れる方向に力が働くため、シール性能が低下する可能性がある。この場合には、シャワー吐水部４とスパウト１とを結合するための固定治具を複数個設けて結合する構成をとることが望ましい。
【００１６】
しかし、固定治具を多くすると、シャワー吐水部４とスパウト１を結合するために容易に結合することが困難になる恐れがある。そこで、散水板８と略直交に形成されたシャワー吐水部４の壁面にＯリングのようなシール部材を巻きつけて、シャワー吐水部４の壁面とスパウト１内部のシャワー吐水部４と対峙する壁面とでＯリングのようなシール部材を挟み込むサイドシール方式を用いるのが望ましい。このサイドシール方式によれば、散水板８の方向に向かってくる吐水によって、散水板８が吐水方向と同じ方向に移動するが、シール構造が散水板８と垂直な方向の壁面同士で構成されているため、散水板８の移動に伴うシール性能の低下を抑制することが可能となるため、水栓装置の使用に支障をきたすことなく、水栓装置からの吐水を提供することが可能となる。また、シャワー吐水部４の水圧や公差によって生じるシャワー吐水部４の僅かな動きやずれが生じた場合においても、サイドシールの場合にはシャワー吐水部４とスパウト１との間の隙間をシール部材にて充填させることが可能となるため、漏水等を起こすことなく水栓装置から吐水を供給することが可能となる。  
【００１７】
以上の構成により、シャワー吐水部４の一辺に勘合部５を設け、他辺に結合部７を設け、シャワー吐水部４の勘合部５とスパウト１の勘合部５とを勘合させ、その後、結合部７に対して固定治具６を用いてスパウト１とシャワー吐水部４とを結合するように設置することにより、ネジ等の固定治具６を複数用いることなく、簡易な構成にてスパウト１とシャワー吐水部４とを結合することが可能となる。更に、固定治具６を整流吐水部３にすることで、水栓装置に必要な構成を固定治具として用いることが可能なため、更に簡易にシャワー吐水部４をスパウト１に設置することが可能なる。また、ネジ等の固定治具を用いずにシャワー吐水部４とスパウト１とを結合することで、スパウト１の外観を大きく損なうことなく取付けが可能となると共に、更に整流吐水部３のように必要な構成部材を用いて結合部７にて結合するようにしているため、ネジ等の固定治具を設置することにより発生する水栓装置表面の細かな凹凸を形成することがなくなるため、汚れの付着を低減することが可能となり、清掃性を向上することも可能となる水栓装置を提供することが可能となる。
【図面の簡単な説明】
【００１８】
【図１】本発明の水栓装置の概略構成図
【図２】本発明の吐水口の概略構成図
【図３】本発明のシャワー吐水部の概略構成図
【図４】シャワー吐水部の勘合部の概略構成図
【図５】スパウトの勘合部の概略構成図
【図６】シャワー吐水部の結合部の概略構成図
【符号の説明】
【００１９】
１…スパウト、２…吐水口、３…整流吐水部、４…シャワー吐水部、５…勘合部、６…固定治具、７…結合部、８…散水板、９…吐水口取り付け部
【図１】
2009263953.tif 000003
【図２】
2009263953.tif 000004
【図３】
2009263953.tif 000005
【図４】
2009263953.tif 000006
【図５】
2009263953.tif 000007
【図６】
2009263953.tif 000008